(57)【要約】【課題】光ディスクへのデータの記録が実際に開始されるまでに要する時間を短縮する、光ディスク装置を提供する。【解決手段】操作者が光ディスク１００を光ディスク装置１にセットすると、光ディスク装置１は、ＰＵヘッド２をリードイン領域にレーザ光が照射される位置へ移動させ、リードイン領域中のＴＯＣデータの読取りを開始し、光ディスク１００がファイナライズ処理を施されているか否かを判定する。その処理が施されていなければ、リードイン領域中の未記録領域の先頭にレーザ光が照射される位置へＰＵヘッド２を移動させておく。そのＰＵヘッド２が停止（待機）させられた状態で、操作者がリモコン装置等で録画または録音にかかる入力操作を行った場合、ＰＵヘッド２を移動することなく、その位置でデータの記録が開始される。これにより、光ディスクへのデータの記録が実際に開始されるまでに要する時間を短縮させることができる。【選択図】  図４
2006179093.tif 000002
【特許請求の範囲】
【請求項１】
装置本体にセットされている光ディスクにピックアップヘッドからレーザ光を照射し、その光ディスクに対して、データの記録および記録されているデータの読取を行う記録／読取手段を備えた光ディスク装置において、
前記ピックアップヘッドを光ディスクの半径方向に移動させ、その光ディスクに対する前記レーザ光の照射位置を変化させる移動手段と、
光ディスクがセットされた場合、または光ディスクがセットされた状態で電源がオンされた場合、前記ピックアップヘッドがその光ディスク上のデータ領域に記録されているデータのインフォメーションデータを読み終えた時、前記移動手段に対し前記ピックアップヘッドの停止位置を指示する制御手段と、を備え、
前記制御手段は、光ディスクがセットされた時にその光ディスクが追記可能であれば、または光ディスクがセットされた状態で電源がオンされた時にその光ディスクが追記可能であれば、前記停止位置として、前記移動手段に対し前記インフォメーションデータが記録されているファイル情報記録領域中の未記録領域の先頭にレーザ光が照射される位置を、前記ピックアップヘッドの停止位置として指示する手段であり、
前記制御手段は、光ディスクがセットされた時にその光ディスクが追記可能であれば、または光ディスクがセットされた状態で電源がオンされた時にその光ディスクが追記可能であれば、前記停止位置として、前記移動手段に対し前記ファイル情報記録領域中の未記録領域の先頭にレーザ光が照射される位置を選択させるか、前記移動手段に対し前記データ領域中の記録領域の先頭にレーザ光が照射される位置を選択させるかを選択させる選択手段を含む、光ディスク装置。
【請求項２】
装置本体にセットされている光ディスクにピックアップヘッドからレーザ光を照射し、その光ディスクに対して、データの記録および記録されているデータの読取を行う記録／読取手段を備えた光ディスク装置において、
前記ピックアップヘッドを光ディスクの半径方向に移動させ、その光ディスクに対する前記レーザ光の照射位置を変化させる移動手段と、
光ディスクがセットされた場合、または光ディスクがセットされた状態で電源がオンされた場合、前記ピックアップヘッドがその光ディスク上のデータ領域に記録されているデータのインフォメーションデータを読み終えた時、前記移動手段に対し前記ピックアップヘッドの停止位置を指示する制御手段と、を備え、
前記制御手段は、光ディスクがセットされた時にその光ディスクが追記可能であれば、または光ディスクがセットされた状態で電源がオンされた時にその光ディスクが追記可能であれば、前記停止位置として、前記移動手段に対しデータ領域中の未記録領域の先頭にレーザ光が照射される位置を、前記ピックアップヘッドの停止位置として指示する手段であり、
前記制御手段は、光ディスクがセットされた時にその光ディスクが追記可能であれば、または光ディスクがセットされた状態で電源がオンされた時にその光ディスクが追記可能であれば、前記停止位置として、前記移動手段に対し前記データ領域中の未記録領域の先頭にレーザ光が照射される位置を選択させるか、前記移動手段に対し前記データ領域中の記録領域の先頭にレーザ光が照射される位置を選択させるかを選択させる選択手段を含む、光ディスク装置。
【請求項３】
装置本体にセットされている光ディスクにピックアップヘッドからレーザ光を照射し、その光ディスクに対して、データの記録および記録されているデータの読取を行う記録／読取手段を備えた光ディスク装置において、
前記ピックアップヘッドを光ディスクの半径方向に移動させ、その光ディスクに対する前記レーザ光の照射位置を変化させる移動手段と、
光ディスクがセットされた場合、または光ディスクがセットされた状態で電源がオンされた場合、前記ピックアップヘッドがその光ディスク上のデータ領域に記録されているデータのインフォメーションデータを読み終えた時、前記移動手段に対し前記ピックアップヘッドの停止位置を指示する制御手段と、を備えた光ディスク装置。
【請求項４】
前記制御手段は、光ディスクがセットされた時にその光ディスクが追記可能であれば、または光ディスクがセットされた状態で電源がオンされた時にその光ディスクが追記可能であれば、前記停止位置として、前記移動手段に対し前記インフォメーションデータが記録されているファイル情報記録領域中の未記録領域の先頭にレーザ光が照射される位置を、前記ピックアップヘッドの停止位置として指示する手段である請求項３記載の光ディスク装置。
【請求項５】
前記制御手段は、光ディスクがセットされた時にその光ディスクが追記可能であれば、または光ディスクがセットされた状態で電源がオンされた時にその光ディスクが追記可能であれば、前記停止位置として、前記移動手段に対しデータ領域中の未記録領域の先頭にレーザ光が照射される位置を、前記ピックアップヘッドの停止位置として指示する手段である請求項３記載の光ディスク装置。
【請求項６】
前記制御手段は、光ディスクがセットされた時にその光ディスクが追記可能であれば、または光ディスクがセットされた状態で電源がオンされた時にその光ディスクが追記可能であれば、前記停止位置として、前記移動手段に対し前記ファイル情報記録領域中の未記録領域の先頭にレーザ光が照射される位置を選択させるか、前記移動手段に対し前記データ領域中の記録領域の先頭にレーザ光が照射される位置を選択させるかを選択させる選択手段を含む、請求項３または４記載の光ディスク装置。
【請求項７】
前記制御手段は、光ディスクがセットされた時にその光ディスクが追記可能であれば、または光ディスクがセットされた状態で電源がオンされた時にその光ディスクが追記可能であれば、前記停止位置として、前記移動手段に対し前記データ領域中の未記録領域の先頭にレーザ光が照射される位置を選択させるか、前記移動手段に対し前記データ領域中の記録領域の先頭にレーザ光が照射される位置を選択させるかを選択させる選択手段を含む、請求項３または５記載の光ディスク装置。
【発明の詳細な説明】
【技術分野】
【０００１】
この発明は、ＤＶＤやＣＤ等の光ディスクに記録されているデータの読取やデータの記録を行う光ディスク装置に関するものである。
【背景技術】
【０００２】
従来、ＣＤ、ＤＶＤ等の光ディスクに記録されている映像や音声を再生する光ディスク装置が実用化され、一般に普及している。
【０００３】
従来の一般的な光ディスク装置において、操作者が光ディスクをセットした時、光ディスク装置にとって必要な記録管理情報が記録されている光ディスク上のＲＭＡ領域と、光ディスク上のデータ領域に記録されているデータのインフォメーションデータ（以下、ＴＯＣデータという）が記録されているファイル情報記録領域（以下、リードイン領域という）と、のデータの読取がピックアップヘッドの移動により自動的に開始される。このＴＯＣデータには、保存されたデータがファイナライズされているかどうかの情報、データが保存された日付、保存されたデータのタイトル情報、保存されたデータの光ディスク上のアドレス情報などが含まれている。
【０００４】
上記リードイン領域のＴＯＣデータの読取が終わった後、光ディスク装置はピックアップヘッドを最内周に一度戻し、操作者がリモコン装置等で再生、録画または録音にかかる入力操作があるまで最内周で待機させられる。そして、それらいずれかの入力操作があってから光ディスク装置は作業を再開し、光ディスクからのデータの読取や光ディスクへのデータの記録が行われる。
【０００５】
一方、例えば、特許文献１に記載されたような光ディスク装置が従来から提案されている。
【０００６】
この光ディスク装置は、上記の従来の一般的な光ディスク装置のように操作者が光ディスクをセットした時ではなく、光ディスク装置に対し光ディスク装置外部へ光ディスクを排出する命令が入力された時に、ピックアップヘッドをリードイン領域側に移動させている。その結果、次回の光ディスク装置起動時に、光ディスク上のリードイン領域に対してピックアップヘッドが従来よりも近くに位置することになる。
【０００７】
この方法により、次回の光ディスク装置起動時に光ディスクからのデータの読取が実際に開始されるまでに要する時間を短縮している。
【特許文献１】特開２００３−４５１３７号公報
【発明の開示】
【発明が解決しようとする課題】
【０００８】
しかしながら、従来の光ディスク装置は、データの記録を行う場合に、その記録が実際に開始されるまでの時間を短縮することについて何ら考慮されていなかった。特許文献１において、データの記録が実際に開始されるまでに要する時間は、リードイン領域を読み終えた後にＰＣＡ領域でレーザパワーの校正等をする必要があるので、ほとんど短縮されていない。
【０００９】
本発明はこのような従来の課題を解決しようとするものであり、光ディスクへのデータの記録が実際に開始されるまでに要する時間を短縮する、光ディスク装置を提供することを目的とするものである。
【課題を解決するための手段】
【００１０】
本発明の光ディスク装置は、前記課題を解決するために以下の構成を備えている。
（１）装置本体にセットされている光ディスクにピックアップヘッドからレーザ光を照射し、その光ディスクに対して、データの記録および記録されているデータの読取を行う記録／読取手段を備えた光ディスク装置において、
前記ピックアップヘッドを光ディスクの半径方向に移動させ、その光ディスクに対する前記レーザ光の照射位置を変化させる移動手段と、
光ディスクがセットされた場合、または光ディスクがセットされた状態で電源がオンされた場合、前記ピックアップヘッドがその光ディスク上のデータ領域に記録されているデータのインフォメーションデータを読み終えた時、前記移動手段に対し前記ピックアップヘッドの停止位置を指示する制御手段と、を備えている。
【００１１】
この構成では、ピックアップヘッドがデータ領域に記録されているデータのインフォメーションデータを読み終えた後、移動手段に対する制御手段の指示により、ピックアップヘッドが記録入力または読取入力に応じた停止位置で停止（待機）させられる。
【００１２】
上記インフォメーションデータは、例えば、ＴＯＣデータである。そのＴＯＣデータには、保存されたデータがファイナライズされているかどうかの情報、データが保存された日付、保存されたデータのタイトル情報、保存されたデータの光ディスク上のアドレス情報などが含まれている。上記移動手段は、例えば、スレッドモーターである。上記制御手段は、例えば、マイクロコンピュータやＣＰＵである。
（２）前記制御手段は、光ディスクがセットされた時にその光ディスクが追記可能であれば、または光ディスクがセットされた状態で電源がオンされた時にその光ディスクが追記可能であれば、前記停止位置として、前記移動手段に対し前記インフォメーションデータが記録されているファイル情報記録領域中の未記録領域の先頭にレーザ光が照射される位置を、前記ピックアップヘッドの停止位置として指示する手段である。
【００１３】
この構成では、操作者が光ディスクをセットした時にその光ディスクが追記可能であれば、または光ディスクがセットされた状態で操作者が電源をオンした時にその光ディスクが追記可能であれば、ファイル情報記録領域中の未記録領域の先頭にレーザ光が照射される位置にピックアップヘッドが停止（待機）させられる。上記ファイル情報記録領域は、例えば、リードイン領域である。ピックアップヘッドが停止（待機）させられた状態で、操作者がリモコン装置等で録画または録音にかかる入力操作を行った場合、ピックアップヘッドを移動することなく、その位置でデータの記録が開始される。
【００１４】
これにより、光ディスクへのデータの記録が実際に開始されるまでに要する時間を短縮させることができ、操作者の使い勝手を向上させる。
（３）前記制御手段は、光ディスクがセットされた時にその光ディスクが追記可能であれば、または光ディスクがセットされた状態で電源がオンされた時にその光ディスクが追記可能であれば、前記停止位置として、前記移動手段に対しデータ領域中の未記録領域の先頭にレーザ光が照射される位置を、前記ピックアップヘッドの停止位置として指示する手段である。
【００１５】
この構成では、操作者が光ディスクをセットした時にその光ディスクが追記可能であれば、または光ディスクがセットされた状態で操作者が電源をオンした時にその光ディスクが追記可能であれば、データ領域中の未記録領域の先頭にレーザ光が照射される位置にピックアップヘッドが停止（待機）させられる。ピックアップヘッドが停止（待機）させられた状態で、操作者がリモコン装置等で録画または録音にかかる入力操作を行った場合、ピックアップヘッドを移動することなく、その位置でデータの記録が開始される。
【００１６】
これにより、光ディスクへのデータの記録が実際に開始されるまでに要する時間を短縮させることができ、操作者の使い勝手を向上させる。
（４）前記制御手段は、光ディスクがセットされた時にその光ディスクが追記可能であれば、または光ディスクがセットされた状態で電源がオンされた時にその光ディスクが追記可能であれば、前記停止位置として、前記移動手段に対し前記ファイル情報記録領域中の未記録領域の先頭にレーザ光が照射される位置を選択させるか、前記移動手段に対し前記データ領域中の記録領域の先頭にレーザ光が照射される位置を選択させるかを選択させる選択手段を含む。
【００１７】
この構成では、操作者が光ディスクをセットした時にその光ディスクが追記可能であれば、または光ディスクがセットされた状態で操作者が電源をオンした時にその光ディスクが追記可能であれば、ピックアップヘッドの停止位置として、移動手段に対しファイル情報記録領域中の未記録領域の先頭にレーザ光が照射される記録処理用の位置を選択するか、移動手段に対しデータ領域中の記録領域の先頭にレーザ光が照射される読取処理用の位置を選択するかを選択手段で操作者に選択させることができる。上記選択手段は、例えば、光ディスク装置本体の操作部や光ディスク装置本体の切替えスイッチやリモコン装置である。
【００１８】
上記（２）では、ピックアップヘッドの停止位置が、ファイル情報記録領域中の未記録領域の先頭にレーザ光が照射される記録処理用の位置に決められていたが、ここでは、前記記録処理用の位置またはデータ領域中の記録領域の先頭にレーザ光が照射される読取処理用の位置のいずれか一方を操作者が選択できる。
【００１９】
これにより、光ディスクへのデータの記録が実際に開始されるまでに要する時間を短縮させるか、光ディスクからのデータの読取が実際に開始されるまでに要する時間を短縮させるか、を操作者が自分の使用方法に応じて選択できるため、操作者の使い勝手を一層向上させる。
（５）前記制御手段は、光ディスクがセットされた時にその光ディスクが追記可能であれば、または光ディスクがセットされた状態で電源がオンされた時にその光ディスクが追記可能であれば、前記停止位置として、前記移動手段に対し前記データ領域中の未記録領域の先頭にレーザ光が照射される位置を選択させるか、前記移動手段に対し前記データ領域中の記録領域の先頭にレーザ光が照射される位置を選択させるかを選択させる選択手段を含む。
【００２０】
この構成では、操作者が光ディスクをセットした時にその光ディスクが追記可能であれば、または光ディスクがセットされた状態で操作者が電源をオンした時にその光ディスクが追記可能であれば、ピックアップヘッドの停止位置として、移動手段に対しデータ領域中の未記録領域の先頭にレーザ光が照射される記録処理用の位置を選択するか、移動手段に対しデータ領域中の記録領域の先頭にレーザ光が照射される読取処理用の位置を選択するかを選択手段で操作者に選択させることができる。
【００２１】
上記（３）では、ピックアップヘッドの停止位置が、データ領域中の未記録領域の先頭にレーザ光が照射される記録処理用の位置に決められていたが、ここでは、前記記録処理用の位置またはデータ領域中の記録領域の先頭にレーザ光が照射される読取処理用の位置のいずれか一方を操作者が選択できる。
【００２２】
これにより、光ディスクへのデータの記録が実際に開始されるまでに要する時間を短縮させるか、光ディスクからのデータの読取が実際に開始されるまでに要する時間を短縮させるか、を操作者が自分の使用方法に応じて選択できるため、操作者の使い勝手を一層向上させる。
【発明の効果】
【００２３】
光ディスクへのデータの記録が実際に開始されるまでに要する時間を短縮させることができ、操作者の使い勝手を向上させる。
【００２４】
また、光ディスクへのデータの記録が実際に開始されるまでに要する時間を短縮させるか、光ディスクからのデータの読取が実際に開始されるまでに要する時間を短縮させるか、を操作者が自分の使用方法に応じて選択できるため、操作者の使い勝手を一層向上させる。
【発明を実施するための最良の形態】
【００２５】
以下、本発明の実施形態である光ディスク装置について説明する。
【００２６】
図１は本発明の実施形態である光ディスク装置のブロック図である。光ディスク装置１は、ピックアップヘッド２（以下、ＰＵヘッド２という。）と、記録再生回路３と、変調復調回路４と、サーボ回路５と、ドライバ６と、スレッドモータ７と、スピンドルモータ８と、電源部９と、操作部１０と、表示部１１と、制御部１２と、を備えている。この実施形態の光ディスク装置１は、ＣＤやＤＶＤ等の光ディスク１００に対して記録されているデータの読取や、データの記録を行う。
【００２７】
ＰＵヘッド２は、光ディスク１００の半径方向に延びる軸に移動自在に取り付けられている。スレッドモータ７が、ＰＵヘッド２を光ディスク１００の半径方向に移動する。また、ＰＵヘッド２には、レーザ光を出力する光源であるＬＤ（レーザダイオード）（不図示）、光ディスク１００からの反射光を検出するフォトディテクタ（不図示）、光ディスク１００の記録面にレーザ光を集光させる対物レンズ（不図示）が設けられている。また、対物レンズを光ディスク１００に接離する方向、および光ディスク１００の半径方向に移動する２軸のアクチュエータ（不図示）が設けられている。光ディスク１００からの反射光を検出するフォトディテクタは、複数の受光素子で形成されている。
【００２８】
再生時においては、光ディスク１００に対して読取パワーのレーザ光を照射し、その光ディスク１００からの反射光を電気信号に変換することによって、光ディスク１００に記録されているデータを光学的に読み取る。また、記録時においては、読取パワーよりも大きい記録パワーのレーザ光を光ディスク１００に対して照射し、光ディスク１００にデータを記録する。その記録は、記録再生回路３から与えられるディジタル信号に基づいて、記録パワーのレーザ光の強度を調節することにより達成する。
【００２９】
なお、その強度の調節とは、光ディスク装置１が記録パワーのレーザ光を光ディスク１００上の未記録領域にピットが形成されるパワーや、形成されないパワーに調節する、ことである。
【００３０】
記録再生回路３は、再生時においては、ＰＵヘッド２の複数の受光素子の出力に基づいてＲＦ信号を生成し、そのＲＦ信号を増幅して変調復調回路４に与える。さらに、記録再生回路３はトラッキングエラー信号やフォーカスエラー信号などを生成してサーボ回路５に与える。また、記録時においては、記録再生回路３は変調復調回路４から与えられるディジタル信号をＰＵヘッド２に与える。
【００３１】
変調復調回路４は、再生時においては、記録再生回路３から与えられるＲＦ信号に対して、誤り検出及び訂正処理などを施す。その後、これをデコードして再生信号を生成し、その再生信号を外部に出力する。また、記録時においては、変調復調回路４は外部から入力された信号を復調処理してディジタル信号に変換し、誤り検出及び訂正処理などを施して、記録再生回路３へ与える。
【００３２】
サーボ回路５は、記録再生回路３から与えられるトラッキングエラー信号、フォーカスエラー信号に基づいて、それぞれトラッキング調整を行うためのトラッキングサーボ信号及びスレッドモータ７を駆動するスレッドモータ駆動信号、フォーカス調整を行うためのフォーカスサーボ信号を生成する。
【００３３】
ドライバ６は、トラッキングサーボ信号、フォーカスサーボ信号、スレッドモータ駆動信号、に基づいて、それぞれＰＵヘッド２内の２軸のアクチュエータ、スレッドモータ７を駆動する。
【００３４】
スレッドモータ７は、ＰＵヘッド２を光ディスク１００の半径方向に移動する。スピンドルモータ８は、光ディスク１００を回転させる。電源部９は、商用電源から光ディスク装置１各部の駆動電源を取り出して、光ディスク装置１の各部に供給する。
【００３５】
操作部１０は、操作者が光ディスク装置１に対して各種の命令を入力するためのものである。光ディスク装置１に対して操作者が入力した命令は制御部１２に与えられる。表示部１１は、時刻、光ディスク装置１の動作状態を示す情報、録画中のデータに関する情報などを表示する。制御部１２は、例えばマイクロコンピュータで構成されており、光ディスク装置１に操作者から入力された命令に応じて光ディスク装置１の各部を制御する。
【００３６】
次に、この実施形態の光ディスク装置１の光ディスク１００の記録領域について説明する。光ディスク１００には、記録用のＣＤ−Ｒ、ＤＶＤ−Ｒ、ＤＶＤ＋Ｒ、ＤＶＤ−ＲＡＭ、ＣＤ−ＲＷおよびＤＶＤ−ＲＷ等（以下、記録用メディアという。）や、再生専用のＣＤ−ＲＯＭやＤＶＤ−ＲＯＭ等（以下、再生専用メディアという。）などといった様々な種類がある。光ディスク１００の記録領域は、その内周から外周にかけて様々な領域に分けられている。
【００３７】
図２は記録用メディアの記録領域を示す図である。記録用メディアの記録領域は、その内周から外周にかけてＰＣＡ領域、ＲＭＡ領域、リードイン領域、データ領域、リードアウト領域に分けられている。
【００３８】
ＰＣＡ領域は、レーザパワーの校正が行える領域である。ＲＭＡ領域は、光ディスク装置１にとって必要な記録管理情報が記録されている領域である。リードイン領域は、光ディスク上のデータ領域に記録されているデータのＴＯＣデータが記録されている領域である。このＴＯＣデータには、保存されたデータがファイナライズされているかどうかの情報、データが保存された日付、保存されたデータのタイトル情報、保存されたデータの光ディスク上のアドレス情報などが含まれている。データ領域は、保存されたデータが記録されている領域である。リードアウト領域は、保存されたデータがファイナライズされた場合に作成される領域である。このファイナライズとは、他の光ディスク装置と互換性を持つようにするために記録情報を整えるためのプロセスである。ファイナライズを行うことにより、他の光ディスク装置においても記録用メディアの再生が可能となる。
【００３９】
図３は再生専用メディアの記録領域を示す図である。再生専用メディアの記録領域は、その内周から外周にかけてリードイン領域、データ領域、リードアウト領域に分けられている。この再生専用メディアと先の記録用メディアとが相違する点は、ＰＣＡ領域とＲＭＡ領域とが存在しない点である。
【００４０】
次に、この実施形態の光ディスク装置１の動作について説明する。図４は本発明の実施形態である光ディスク装置における光ディスクセット時に制御部が行う初期動作を示すフローチャートである。
【００４１】
操作者が光ディスク１００を光ディスク装置１にセットすると、光ディスク装置１は、光ディスク１００上のＲＭＡ領域にレーザ光が照射される位置へＰＵヘッド２を移動開始させる。そのＲＭＡ領域には、光ディスク装置１にとって必要な記録管理情報が記録されている。
【００４２】
光ディスク装置１は、ＰＵヘッド２をリードイン領域にレーザ光が照射される位置へ移動させ、リードイン領域中のＴＯＣデータの読取りを開始する（ｓ１）。ここで、上記ＲＭＡ領域は、記録用メディアには存するが再生専用メディアには存しないため、再生専用メディアがセットされた場合、光ディスク装置１は、ＲＭＡ領域にレーザ光が照射される位置へＰＵヘッド２を移動開始させるという作業を行わない。再生専用メディアでは、操作者が再生専用メディアを光ディスク装置１にセットすると、ＰＵヘッド２をリードイン領域にレーザ光が照射される位置へ移動させ、リードイン領域中のＴＯＣデータの読取りを開始する。
【００４３】
光ディスク装置１は、光ディスク１００がファイナライズ処理を施されているか否かを判定する（ｓ２）。この判定は、リードイン領域中にリードアウト領域のアドレスデータが存するか否かを調べる方法、またはＲＭＡ領域の記録管理情報を調べる方法、のいずれか一方の方法により行われる。
【００４４】
光ディスク装置１は、ｓ２で光ディスク１００がファイナライズ処理を施されていないと判断すると、光ディスク１００上のＰＣＡ領域にレーザ光が照射される位置へＰＵヘッド２を移動させる。光ディスク装置１は、そのＰＣＡ領域において、記録パワーのレーザ光のレーザパワーの校正を行う（ｓ3）。
【００４５】
なお、現在の一般的な光ディスク装置は、操作者が録画または録音にかかる入力操作を行った際、光ディスク上のＰＣＡ領域において、記録パワーのレーザ光のレーザパワーの校正を行う。そのＰＣＡ領域では、レーザパワーの校正が９９回行えるとされている。そのため、操作者が、同一光ディスクにおいてファイナライズを行わずに録画または録音にかかる入力操作を９９回を越えて行うとレーザパワーの校正が不可能となる。しかし、通常ファイナライズを行うまでに録画または録音を実行する回数は、数回程度、多くとも１０数回程度である。よって、未ファイナライズの光ディスク１００がセットされた時に、レーザパワーの校正が行えるＰＣＡ領域が存在しないという状況は非常に稀である。そのため、ｓ3の処理はほぼ確実に行える。
【００４６】
光ディスク装置１は、ｓ１で読取ったＴＯＣデータを基に、リードイン領域中の未記録領域の先頭にレーザ光が照射される位置へＰＵヘッド２を移動させ（ｓ4）、本処理を終了する。そして、操作者からの入力があるまで、光ディスク装置１はＰＵヘッド２をその位置で停止（待機）させる。
【００４７】
図５は本発明の実施形態である光ディスク装置に未ファイナライズの記録用メディアがセットされた時のＰＵヘッドの停止（待機）位置と記録用メディアの記録領域を示す図である。記録用メディアの記録領域が図５の状態であれば、ｓ４でのＰＵヘッド２の停止（待機）位置はリードイン領域中の未記録領域の先頭にレーザ光が照射される位置（図５の位置）となる。そのＰＵヘッド２が停止（待機）させられた状態で、操作者がリモコン装置等で録画または録音にかかる入力操作を行った場合、ＰＵヘッド２を移動することなく、その位置でデータの記録が開始できる。これにより、光ディスクへのデータの記録が実際に開始されるまでに要する時間を短縮させることができ、操作者の使い勝手を向上させる。
【００４８】
なお、ＰＵヘッド２が停止（待機）させられた状態で、操作者がリモコン装置等で再生にかかる入力操作を行った場合、光ディスク装置１は、ｓ１で読取ったＴＯＣデータを基に、データ領域中の記録領域の先頭にレーザ光が照射される位置へそのＰＵヘッド２を移動させる。その後、その位置でデータの読取が開始される。
【００４９】
一方、光ディスク装置１は、ｓ２で光ディスク１００がファイナライズ処理を施されていると判断すると、ｓ１で読取ったＴＯＣデータを基に、データ領域中の記録領域の先頭にレーザ光が照射される位置へＰＵヘッド２を移動させ（ｓ5）、本処理を終了する。
【００５０】
そして、操作者からの入力があるまで、光ディスク装置１はＰＵヘッド２をその位置で停止（待機）させる。図６は本発明の実施形態である光ディスク装置にファイナライズ済の記録用メディアがセットされた時のＰＵヘッドの停止（待機）位置と記録用メディアの記録領域を示す図である。記録用メディアの記録領域が図６の状態であれば、ｓ5でのＰＵヘッド２の停止（待機）位置はデータ領域中の記録領域の先頭にレーザ光が照射される位置（図６の位置）となる。
【００５１】
図７は本発明の実施形態である光ディスク装置に再生専用メディアがセットされた時のＰＵヘッドの停止（待機）位置と再生専用メディアの記録領域を示す図である。また、再生専用メディアの記録領域が図７の状態あれば、ｓ5でのＰＵヘッド２の停止（待機）位置はデータ領域中の記録領域の先頭にレーザ光が照射される位置（図７の位置）となる。そのＰＵヘッド２が停止（待機）させられた状態で、操作者がリモコン装置等で再生にかかる入力操作を行った場合、ＰＵヘッド２を移動することなく、その位置でデータの読取が開始される。
【００５２】
また、上記本発明の実施形態である光ディスク装置１の操作部１０に、操作者が光ディスク１００をセットした時にその光ディスク１００がファイナライズ処理を施されていなければ、ＰＵヘッド２の停止位置として、リードイン領域中の未記録領域の先頭にレーザ光が照射される記録処理用の位置（図５の位置）を選択するか、移動手段に対しデータ領域中の記録領域の先頭にレーザ光が照射される読取処理用の位置（図８の位置）を選択するかを操作者に選択させることができる構成を追加しても良い。図８は本発明の実施形態である光ディスク装置に停止位置を選択できる構成を追加した光ディスク装置において読取処理用の位置が選択されている場合に未ファイナライズの記録用メディアがセットされた時のＰＵヘッドの停止（待機）位置と記録用メディアの記録領域を示す図である。
【００５３】
上記本発明の実施形態である光ディスク装置１では、操作者が光ディスク１００をセットした時のＰＵヘッド２の停止位置が、リードイン領域中の未記録領域の先頭にレーザ光が照射される記録処理用の位置に決められていたが、この構成を追加すれば、前記記録処理用の位置またはデータ領域中の記録領域の先頭にレーザ光が照射される読取処理用の位置のいずれか一方を操作者が選択できる。
【００５４】
これにより、光ディスクへのデータの記録が実際に開始されるまでに要する時間を短縮させるか、光ディスクからのデータの読取が実際に開始されるまでに要する時間を短縮させるか、を操作者が自分の使用方法に応じて選択できるため、操作者の使い勝手を一層向上させる。
【００５５】
次に、本発明の他の実施形態の光ディスク装置１について説明する。本発明の他の実施形態である光ディスク装置における構成は、上記本発明の実施形態である光ディスク装置１と同様である。図９は、本発明の他の実施形態である光ディスク装置における光ディスクセット時に制御部が行う初期動作を示すフローチャートである。
【００５６】
本発明の他の実施形態である光ディスク装置の光ディスクセット時に制御部が行う初期動作は、図４におけるｓ４をｓ１１に置き換えた動作であり、その他の処理（ｓ１〜３、ｓ５）については同じである。光ディスク装置１はｓ１〜３の動作を行うと、ｓ１で読取ったＴＯＣデータを基に、データ領域中の未記録領域の先頭にレーザ光が照射される位置へＰＵヘッド２を移動させ（ｓ１１）、本処理を終了する。
【００５７】
図１０は、本発明の他の実施形態である光ディスク装置に未ファイナライズの記録用メディアがセットされた時のＰＵヘッドの停止（待機）位置と記録用メディアの記録領域を示す図である。記録用メディアの記録領域が図１０の状態であれば、ｓ１１でのＰＵヘッド２の停止（待機）位置はデータ領域中の未記録領域の先頭にレーザ光が照射される位置（図１０の位置）となる。ＰＵヘッド２が停止（待機）させられた状態で、操作者がリモコン装置等で録画または録音にかかる入力操作を行った場合、ＰＵヘッド２を移動することなく、その位置でデータの記録が開始される。
【００５８】
なお、ＰＵヘッド２が停止（待機）させられた状態で、操作者がリモコン装置等で再生にかかる入力操作を行った場合、光ディスク装置１は、ｓ１で読取ったＴＯＣデータを基に、データ領域中の記録領域の先頭にレーザ光が照射される位置へそのＰＵヘッド２を移動させる。その後、その位置でデータの読取が開始される。
【００５９】
この他の実施形態は、操作者が光ディスク１００をセットした時に、データ領域中の未記録領域の先頭にレーザ光が照射される位置へＰＵヘッド２を移動させ、その位置からデータの記録を開始する光ディスク装置の場合において、実施される。
【００６０】
また、上記本発明の他の実施形態である光ディスク装置１の操作部１０に、操作者が光ディスク１００をセットした時にその光ディスク１００がファイナライズ処理を施されていなければ、ＰＵヘッド２の停止位置として、データ領域中の未記録領域の先頭にレーザ光が照射される記録処理用の位置（図１０の位置）を選択するか、移動手段に対しデータ領域中の記録領域の先頭にレーザ光が照射される読取処理用の位置（図８の位置）を選択するかを操作者に選択させることができる構成を追加しても良い。
【００６１】
上記本発明の他の実施形態である光ディスク装置１では、操作者が光ディスク１００をセットした時のＰＵヘッド２の停止位置が、データ領域中の未記録領域の先頭にレーザ光が照射される記録処理用の位置に決められていたが、この構成を追加すれば、前記記録処理用の位置またはデータ領域中の記録領域の先頭にレーザ光が照射される読取処理用の位置の一方を操作者が選択できる。
【００６２】
これにより、光ディスクへのデータの記録が実際に開始されるまでに要する時間を短縮させるか、光ディスクからのデータの読取が実際に開始されるまでに要する時間を短縮させるか、を操作者が自分の使用方法に応じて選択できるため、操作者の使い勝手を一層向上させる。
【図面の簡単な説明】
【００６３】
【図１】本発明の実施形態である光ディスク装置のブロック図
【図２】記録用メディアの記録領域を示す図
【図３】再生専用メディアの記録領域を示す図
【図４】本発明の実施形態である光ディスク装置における光ディスクセット時に制御部が行う初期動作を示すフローチャート
【図５】本発明の実施形態である光ディスク装置に未ファイナライズの記録用メディアがセットされた時のＰＵヘッドの停止（待機）位置と記録用メディアの記録領域を示す図
【図６】本発明の実施形態である光ディスク装置にファイナライズ済の記録用メディアがセットされた時のＰＵヘッドの停止（待機）位置と記録用メディアの記録領域を示す図
【図７】本発明の実施形態である光ディスク装置に再生専用メディアがセットされた時のＰＵヘッドの停止（待機）位置と再生専用メディアの記録領域を示す図
【図８】本発明の実施形態である光ディスク装置に未ファイナライズの記録用メディアがセットされた時のＰＵヘッドの停止（待機）位置と記録用メディアの記録領域を示す図
【図９】本発明の他の実施形態である光ディスク装置における光ディスクセット時に制御部が行う初期動作を示すフローチャート
【図１０】本発明の他の実施形態である光ディスク装置に未ファイナライズの記録用メディアがセットされた時のＰＵヘッドの停止（待機）位置と記録用メディアの記録領域を示す図
【符号の説明】
【００６４】
1‐光ディスク装置
２‐ＰＵヘッド
3‐記録再生回路
４‐変調復調回路
５‐サーボ回路
６‐ドライバ
７‐スレッドモータ
８‐スピンドルモータ
９‐電源部
1０‐操作部
1１‐表示部
1２‐制御部
１００‐光ディスク
【図１】
2006179093.tif 000003
【図２】
2006179093.tif 000004
【図３】
2006179093.tif 000005
【図４】
2006179093.tif 000006
【図５】
2006179093.tif 000007
【図６】
2006179093.tif 000008
【図７】
2006179093.tif 000009
【図８】
2006179093.tif 000010
【図９】
2006179093.tif 000011
【図１０】
2006179093.tif 000012